(57)【要約】【課題】可動接点のバウンスを抑制することが可能な電磁リレーを得る。【解決手段】常開接点板３０に、常開接点３０ａとベース部５との間Ｓの下部を可動接点板３１方向に折曲する第一の屈曲部３０Ｂ１と、常開接点３０ａとベース部５との間Ｓの上部を可動接点板３１とは反対側に折曲する第二の屈曲部３０Ｂ２と、を設け、第一および第二の屈曲部３０Ｂ１，３０Ｂ２の屈曲角度の調整により、常開接点３０ａを定位置に保持した状態で接触面３０ｓ１を、ベース部５から遠ざかるにしたがって可動接点３１ａから離れる方向に僅かに傾斜させる。したがって、可動接点３１ａの緩やかな球面となった接触面３１ｓ１は、常開接点３０ａに、常開接点板３０の基端側により近い位置で接触することになり、可動接点３１ａの閉時のバウンスを抑制できる。【選択図】図３
2010027559.tif 000002
【特許請求の範囲】
【請求項１】
固定接点と、ベース部から突設して前記固定接点を片持ち支持する固定アームと、前記固定接点に対向配置され当該固定接点との接触面が緩やかな球面となる可動接点と、ベース部から突設して前記可動接点をばね力をもって片持ち支持する可動アームと、を備え、電磁石部により作動するアーマチュアによって前記可動接点を前記固定接点に接触させるようにした電磁リレーにおいて、
前記固定アームに、前記固定接点と前記ベース部との間の下部を可動アーム方向に折曲する第一の屈曲部と、前記固定接点と前記ベース部との間の上部を可動アームとは反対側に折曲する第二の屈曲部と、を設け、これら第一の屈曲部と第二の屈曲部とによって、前記固定接点の接触面をベース部から遠ざかるにしたがって前記可動接点から離れる方向に傾斜させたことを特徴とする電磁リレー。
【発明の詳細な説明】
【技術分野】
【０００１】
本発明は、電磁リレーに関する。
【背景技術】
【０００２】
従来の電磁リレー（電磁継電器）は、電磁石部を励磁して開位置にある可動接点を閉位置に移動して固定接点に接触させる一方、電磁石部の励磁を解除して閉位置にある可動接点を可動アームのばね力によって開位置に戻すようになっている（例えば、特許文献１参照）。
【０００３】
この電磁リレーでは、可動接点はベース部に片持ち支持された可動アームの先端部に固着されており、固定接点はベース部に片持ち支持された固定アームの先端部に固着されている。そして、可動アームと固定アームとが開状態にあるときに相互に略平行となるように配置してある。
【特許文献１】特開２００６−３３１７２６号公報
【発明の開示】
【発明が解決しようとする課題】
【０００４】
しかしながら、上記従来の電磁リレーでは、閉状態では可動アームが固定アーム側に倒れ込む状態となり、可動接点がやや斜めに傾いた姿勢で真っ直ぐなままの固定接点に接触することになる。
【０００５】
したがって、可動接点の先端側（可動アームの突出方向の先端側）の部分が固定接点と接触することになって、可動アームの基端部から当該接触位置までのモーメントアームが長くなる分、可動接点がバウンスしやすくなってしまうという問題があった。
【０００６】
そこで、本発明は、可動接点のバウンスを抑制することが可能な電磁リレーを得ることを目的とする。
【課題を解決するための手段】
【０００７】
本発明は、固定接点と、ベース部から突設して上記固定接点を片持ち支持する固定アームと、上記固定接点に対向配置され当該固定接点との接触面が緩やかな球面となる可動接点と、ベース部から突設して上記可動接点をばね力をもって片持ち支持する可動アームと、を備え、電磁石部により作動するアーマチュアによって上記可動接点を上記固定接点に接触させるようにした電磁リレーにおいて、上記固定アームに、上記固定接点と上記ベース部との間の下部を可動アーム方向に折曲する第一の屈曲部と、上記固定接点と上記ベース部との間の上部を可動アームとは反対側に折曲する第二の屈曲部と、を設け、これら第一の屈曲部と第二の屈曲部とによって、上記固定接点の接触面をベース部から遠ざかるにしたがって上記可動接点から離れる方向に傾斜させたことを特徴とする。
【発明の効果】
【０００８】
本発明によれば、固定接点を傾斜させることで、閉じたときに可動接点が固定接点に接触する部分を、可動アームの基端側に移動させることができ、バウンスを抑制することができる。
【発明を実施するための最良の形態】
【０００９】
以下、本発明の実施形態について図面を参照しながら詳細に説明する。図１は、本実施形態にかかる電磁リレーの内部を示す正面図、図２は、電磁石部の非励磁状態での接点部の断面図、図３は、電磁石部の励磁状態での接点部の断面図である。
【００１０】
図１に示すように、本実施形態の電磁リレーＲは、電磁石部１と、この電磁石部１により作動するアーマチュア２と、接点部３と、アーマチュア２の作動で可動接点板３１を押圧して撓ませて可動接点３１ａを常開接点３０ａに接触させる合成樹脂製のカード４と、を備えて概ね構成してある。
【００１１】
接点部３は、固定接点としての常開接点３０ａと、この常開接点３０ａに対向配置されて常時は所定間隔をもって開状態となる可動接点３１ａと、この可動接点３１ａを挟んで常開接点３０ａの反対側に配置され、常時は可動接点３１ａと閉状態となる常閉接点３２ａと、を備えて構成してある。
【００１２】
可動接点３１ａは、常開接点３０ａに接触する接触面３１ｓ１および常閉接点３２ａに接触する接触面３１ｓ２を、それぞれ曲率半径の比較的大きい緩やかな球面状に形成してある。なお、本実施形態では、常開接点３０ａおよび常閉接点３２ａの接触面３０ｓ１，３２ｓ１をそれぞれ平坦に形成してあるが、可動接点３１ａと同様に緩やかな球面状に形成してもよい。
【００１３】
常開接点３０ａは、導電材料で形成されて比較的撓み変形し難い固定アームとしての常開接点板３０の先端側に片持ち状に設けてあり、また、可動接点３１ａは、導電材料で形成されてばね力をもって比較的撓み変形しやすい可動アームとしての可動接点板３１の先端側に片持ち状に設けてあり、さらに、常閉接点３２ａは、導電材料から形成されて比較的撓み変形し難い常閉接点板３２の先端側に片持ち状に設けてある。
【００１４】
また、電磁石部１、アーマチュア２、接点部３、およびカード４等の内部構造部は、それぞれ合成樹脂で形成したベース部５と図示省略したカバーで形成した外郭の内部に収容される。
【００１５】
上述した各接点板３０〜３２は、それぞれの下端部がベース部５の長手方向（図中左右方向）の一端部（図中右側）に形成した各溝部にそれぞれ圧入固定してあるとともに、ベース部５の長手方向の他端部には電磁石部１を搭載してある。そして、カバーはベース部５側を開口した略箱状を成し、電磁石部１や接点部３等を覆ってベース部５に嵌着してある。
【００１６】
電磁石部１は、ベース部５の長手方向に横置きした鉄心１１と、この鉄心１１の外周に巻回したコイル１２と、を備えて構成してあり、信号入力によってコイル１２を通電して電磁石部１を励磁するようになっている。なお、電磁石部１は、鉄心１１やコイル１２以外に図示しないヨークを備え、かつ、コイル１２は図示しないコイルボビンに巻回されている。
【００１７】
アーマチュア２は、鉄心１１の一端面１１ａに対して所定間隔をあけて、復帰力をもって回動自在にベース部５に設けてある。アーマチュア２は電磁石部１が励磁されることにより鉄心１１に引き寄せられるとともに、電磁石部１の励磁が解除されることにより鉄心１１から離反して図１の初期状態に復帰する。
【００１８】
ベース部５の底面には、コイル１２に接続したコイル端子１２ａ、常開接点板３０に接続した端子３０ｂ、可動接点板３１に接続した端子３１ｂ、および常閉接点板３２に接続した端子３２ｂを、それぞれ突設してある。
【００１９】
カード４は、アーマチュア２の回動先端部（図中上端部）となる位置でベース部５の長手方向に沿って延在しており、その長手方向に往復動可能に設けてある。カード４は、一端部（図中左端部）４ａをアーマチュア２の回動先端部に係止し、電磁石部１の励磁および励磁解除に伴うアーマチュア２の回動によって往復運動する。また、カード４の他端部４ｂには、可動接点板３１を押圧するための押圧部４１を設けてある。
【００２０】
したがって、電磁石部１の励磁によってアーマチュア２が図中時計回り方向に回動すると、これに伴ってカード４が図中矢印Ｘ方向（右方向）に移動し、押圧部４１で可動接点板３１を押圧する。なお、押圧部４１の先端（押圧面）には、可動接点板３１に形成した図示しないガイド孔に摺動自在に挿通する突起４２を設けて、押圧部４１による可動接点板３１の押圧位置がずれないようにしてある。
【００２１】
図２に示すように、電磁石部１の非励磁時には、常開接点３０ａと可動接点３１ａとは所定の隙間δをもって開状態となっている。この状態から電磁石部１の励磁によってカード４を矢印Ｘ方向に移動させて押圧部４１で可動接点板３１を押圧すると、図３に示すように、可動接点板３１はベース部５への取付部を支点として常開接点板３０方向に撓み変形し、可動接点３１ａの接触面３１ｓ１が常開接点３０ａの接触面３０ｓ１に接触して閉状態となる。このとき、可動接点３１ａは常閉接点３２ａから離れて開状態となる。
【００２２】
ここで、本実施形態では、図１，図２に示すように、常開接点板３０に、常開接点３０ａとベース部５との間Ｓの下部を可動接点板３１方向（図中左方）に折曲する第一の屈曲部３０Ｂ１と、常開接点３０ａとベース部５との間Ｓの上部を可動接点板３１とは反対側（図中右方）に折曲する第二の屈曲部３０Ｂ２と、を設けてある。そして、これら第一の屈曲部３０Ｂ１と第二の屈曲部３０Ｂ２とによって、常開接点３０ａを定位置に保持した状態で接触面３０ｓ１を、ベース部５から遠ざかる（図中上方に行く）にしたがって可動接点３１ａから離れる方向に僅かな傾斜角θ（図２参照）をもって傾斜させてある。
【００２３】
以上のように、本実施形態の電磁リレーＲによれば、常開接点板３０を、常開接点３０ａとベース部５との間Ｓを第一の屈曲部３０Ｂ１と第二の屈曲部３０Ｂ２とによって２段折りしてある。したがって、それら第一および第二の屈曲部３０Ｂ１，３０Ｂ２の屈曲角度をそれぞれ調整しておくことで、常開接点３０ａを定位置に保持しつつ、その常開接点３０ａの接触面３０ｓ１をベース部５から遠ざかるにしたがって可動接点３１ａから離れる方向（図１〜３では上向き）に傾斜させることができる。
【００２４】
このように常開接点３０ａを傾斜させることで、図３に示すように、閉じたときに可動接点３１ａが常開接点３０ａに接触する部分を、可動接点板３１の基端側に移動させることができる。したがって、可動接点板３１の基端部から当該接触部分までのモーメントアームを小さくできるようになり、以て、バウンスを抑制することができる。よって、より確実な接触導通状態を得ることができるとともに、常開接点３０ａと可動接点３１ａとの接点消耗を効率良く抑制することができ、電磁リレーＲの長寿命化を達成することができる。
【００２５】
また、本実施形態によれば、第一の屈曲部３０Ｂ１と第二の屈曲部３０Ｂ２とを設けて２段折りして常開接点３０ａを傾けたため、カード４の同一ストロークに対して、常開接点３０ａを傾けていない従来仕様と本実施形態にかかる仕様とでベース部５における常開接点板３０の端子３０ｂの設定位置を変更する必要が無く、既存のベース部５を流用して用いることが可能となり、コスト低減にも資することになる。
【００２６】
以上、本発明の好適な実施形態について説明したが、本発明は上記実施形態には限定されず、種々の変形が可能である。
【図面の簡単な説明】
【００２７】
【図１】本発明の一実施形態にかかる電磁リレーの内部を示す正面図である。
【図２】本発明の一実施形態にかかる電磁リレーに含まれる電磁石部の非励磁状態での接点部の断面図である。
【図３】本発明の一実施形態にかかる電磁リレーに含まれる電磁石部の励磁状態での接点部の断面図である。
【符号の説明】
【００２８】
１  電磁石部
２  アーマチュア
３０  常開接点板（固定アーム）
３０ａ  常開接点（固定接点）
３０Ｂ１  第一の屈曲部
３０Ｂ２  第二の屈曲部
３１  可動接点板（可動アーム）
３１ａ  可動接点
３１ｓ１  （可動接点の）接触面
４  カード
５  ベース部
Ｒ  電磁リレー
【図１】
2010027559.tif 000003
【図２】
2010027559.tif 000004
【図３】
2010027559.tif 000005